(57)【特許請求の範囲】
【請求項１】
ホイールの円弧形状に沿うように変形可能に構成された金属製のウエイト本体と、このウエイト本体に層状に設けられた接着材と、この接着材を覆う離型紙とを備えたバランスウエイトをホイールに貼り付ける際に用いるバランスウェイト貼付治具であって、
前記バランスウエイトを支持する支持面を下面に有した治具本体と、
前記治具本体の上面に設けられた把持部と、
前記支持面に沿って設けられ、磁力により前記ウエイト本体を吸引可能な磁気部材と、
を備えていることを特徴とするバランスウェイト貼付治具。
【請求項２】
請求項１記載のバランスウェイト貼付治具において、前記治具本体の支持面に、支持面に保持されたバランスウエイトを上面側から視認可能な確認窓が開設されていることを特徴とするバランスウェイト貼付治具。
【請求項３】
請求項１または２に記載のバランスウェイト貼付治具において、前記治具本体には、上面側と下面側とで共通の位置であることを示す表示手段が設けられていることを特徴とするバランスウェイト貼付治具。
【請求項４】
請求項１ないし３に記載のバランスウェイト貼付治具において、前記治具本体の支持面に隣接して、バランスウエイトの側面に当接してバランスウエイトの位置決めを行うストッパが設けられていることを特徴とするバランスウェイト貼付治具。
【請求項５】
請求項１ないし４に記載のバランスウェイト貼付治具において、前記治具本体の支持面が、ホイールのバランスウェイト取り付け面の円弧よりも小さい径の円弧形状に形成されていることを特徴とするバランスウェイト貼付治具。
【請求項６】
請求項１ないし５に記載のバランスウェイト貼付治具において、前記治具本体は、弾性変形可能な素材で形成されていること特徴とするバランスウェイト貼付治具。
【発明の詳細な説明】
【０００１】
【発明の属する技術分野】
本発明は、車両のホイールバランスを補正するバランスウェイトをホイールに貼り付けるための技術分野に属する。
【０００２】
【従来の技術】
従来、ブロック状に分割された帯状の金属製ウェイト本体の下面に接着材を層状に設け、この接着材の接着面を離型紙で覆った構成のバランスウエイトが知られている。例えば、実開昭５２−１４１７０２号公報、実開昭５２−１１９２０１号公報、実開昭５０−９１２０１号公報などを参照のこと。
【０００３】
この従来技術にあっては、バランスウエイトをホイールに取り付ける際には、接着材から離型紙を剥がし、その接着面をホイールの所定の場所に貼り付けるものであり、ウエイト本体は、ブロック状に分割されているため、金属製であってもホイールの円弧形状に沿って変形して接着可能となっている。
【０００４】
【発明が解決しようとする課題】
しかしながら、上述の従来技術にあっては、ウエイト本体がホイールの円弧形状に沿って変形可能なようにブロック状に構成されているため、逆に、自己の形状を保持し難いものであり、例えば、図６に示すように、貼付作業において、離型紙を剥がす作業時、ならびに、ホイールに貼り付ける作業を行う際に、ウエイト本体の形状が不安定で作業を正確に行うのが難しいという問題があった。
【０００５】
本発明が解決しようとする課題は、バランスウエイトがホイールの円弧形状に沿って変形可能であっても、バランスウエイトの形状を安定させた状態で、離型紙を剥がす作業、およびバランスウエイトを貼り付ける作業を実行可能として、作業効率を向上させることができるバランスウェイト貼付治具を提供することにある。
【０００６】
【課題を解決するための手段】
本願請求項１に記載の発明は、ホイールの円弧形状に沿うように変形可能に構成された金属製のウエイト本体と、このウエイト本体に層状に設けられた接着材と、この接着材を覆う離型紙とを備えたバランスウエイトをホイールに貼り付ける際に用いるバランスウェイト貼付治具であって、前記バランスウエイトの支持面を下面に有した治具本体と、前記治具本体の上面に設けられた把持部と、前記支持面に沿って設けられ、磁力により前記治具本体を吸引可能な磁気部材と、を備えていることを特徴とする。
【０００７】
また、請求項２に記載の発明は、請求項１記載のバランスウェイト貼付治具において、前記治具本体の支持面に、支持面に保持されたバランスウエイトを上面側から視認可能な確認窓が開設されていることを特徴とする。
【０００８】
請求項３に記載の発明は、請求項１または２に記載のバランスウェイト貼付治具において、前記治具本体には、上面側と下面側とで共通の位置であることを示す表示手段が設けられていることを特徴とする。
【０００９】
請求項４に記載の発明は、請求項１ないし３に記載のバランスウェイト貼付治具において、前記治具本体の支持面に隣接して、バランスウエイトの側面に当接してバランスウエイトの位置決めを行うストッパが設けられていることを特徴とする。
【００１０】
請求項５に記載の発明は、請求項１ないし４に記載のバランスウェイト貼付治具において、前記治具本体の支持面が、ホイールのバランスウェイト取り付け面の円弧よりも小さい径の円弧形状に形成されていることを特徴とする。
【００１１】
請求項６に記載の発明は、請求項１ないし５に記載のバランスウェイト貼付治具において、前記治具本体は、弾性変形可能な素材で形成されていること特徴とする。
【００１２】
【発明の作用および効果】
本願全請求項の発明では、バランスウエイトをホイールに貼り付ける際には、まず、バランスウエイトのウエイト本体を、バランスウエイト貼付治具の支持面に設けた磁気部材の吸引力で吸引して支持面上に保持する。
【００１３】
次に、この保持状態でバランスウエイトから離型紙を剥離させる。この時、バランスウエイトは治具本体の支持面に支持されて形状が保持されているため、不安定になることはない。
【００１４】
次に、バランスウエイト貼付治具に保持した状態のままバランスウエイトの接着材をホイールの取付面に押し付ける。この時も、バランスウエイトは治具本体の支持面に支持されているため、形状が保持されて安定している。
【００１５】
上記の手順でバランスウエイトをホイールに貼り付けたら、バランスウエイト貼付治具をホイールから引き離す。この時、バランスウエイトは、バランスウエイト貼付治具に対しては磁気部材に吸引力で吸引されているだけであるので、接着材の接着力が上回ってホイールに固定され、バランスウエイト貼付治具のみがホイールから離間することになる。
【００１６】
以上のように、本願全請求項に記載の発明では、離型紙の剥離時ならびにホイールへの貼付時にバランスウエイトをバランスウエイト貼付治具の支持面に支持した状態で作業を行うことができるため、バランスウエイトの形状が安定し作業性に優れるという効果が得られる。
【００１７】
また、バランスウエイトの保持を磁気部材により行っているため、治具本体に対するバランスウエイトの保持作業およびバランスウエイトの離反作業がきわめて容易であり、これによっても作業性に優れるという効果が得られる。
【００１８】
また、請求項２に記載の発明にあっては、治具本体の支持面にバランスウエイトを保持している状態を、治具本体の上面側から確認窓により確認することができる。したがって、バランスウエイトをホイールに貼り付けた後に、治具本体をホイールから離間させる際に、バランスウエイトが確実にホイールに貼り付けられて治具本体から離脱したか否かを確認窓から確認し、バランスウエイトのホイールへの貼付が不十分で治具本体に吸引されてホイールから離れてしまいそうなときには、再度、治具本体を上から押し付けてバランスウエイトの貼付作業を行うものである。
【００１９】
このように、確認窓を設けてバランスウエイトの状態を確認できるため、高い作業精度を得ることができ、作業性に優れるという効果が得られる。
【００２０】
請求項３に記載の発明にあっては、治具本体にバランスウエイトを吸着させる際に、バランスウエイトと治具本体との相対位置を表示手段により確認して、常に所定の位置に配置させることができる。また、バランスウエイトをホイールに貼り付ける際も、ホイールと治具本体との相対位置を表示手段により確認して、常に所定の位置に配置させることができる。よって、バランスウエイトをホイールの所定の位置に貼り付けることが容易である。
【００２１】
このように、表示手段により、治具本体とバランスウエイトならびにホイールとの相対位置を確認することができるため、作業性に優れる。
【００２２】
請求項４に記載の発明にあっては、治具本体の支持面にバランスウエイトを吸着させる際には、バランスウエイトの側面をストッパに当接させることで、位置決めを行う。
【００２３】
したがって、バランスウエイトの位置決めが容易であり、作業性に優れる。また、表示手段による位置決めとの相乗効果により、より高い位置決め精度を得ることができる。
【００２４】
請求項５および６に記載の発明にあっては、バランスウエイトをホイールに貼り付ける際に、バランスウエイトが支持面の形状に沿うことで、ホイールの取付面よりも半径が小さい円弧形状になっているため、最初に、接着面の一部のみが当接して接着され、その後、治具本体を円弧に沿って揺動させたり、あるいは請求項６記載の発明のように弾性変形可能な素材で形成された治具本体１を変形させたりすることにより、バランスウエイトの他の部分を順に接着させることになる。このように、バランスウエイトの接着面の全体が一度にホイールに接着されるのではなく、一部から順に接着するため、接着不具合が生じ難く、作業性および品質の向上を図ることができる。
【００２５】
【発明の実施の形態】
以下に、本発明の全請求項に記載の発明に対応する実施の形態のバランスウェイト貼付治具について説明する。
まず、構成を説明する。
図１は実施の形態のバランスウェイト貼付治具を示す斜視図で、図において１は治具本体、２，２は把持部としてのハンドル、３は磁気部材、４は位置決めストッパ、５は表示手段としてのセンタマーク、６は確認窓である。なお、本実施の形態のバランスウエイト貼付治具は、従来技術で示したのと同様の構成のバランスウエイト７をホイール１０（図４参照）に貼り付けるのに使用するものであって、バランスウエイト７は、図５に示すように、金属製で横長矩形かつ複数のブロック形状のウエイト本体７ａと、ウエイト本体７ａの裏面に貼り付けられた両面テープ９と、両面テープ９の表面を覆う離型紙８と、を備えている。
【００２６】
前記治具本体１は、金属や合成樹脂などを素材とし、端縁部にフランジ状の位置決めストッパ４が突設された断面Ｌ字の薄板形状に形成され、かつ、緩い円弧形状に形成されている。なお、図３に示すように、治具本体１の円弧状部分の半径Ｒ１は、バランスウエイト７の取り付け対象となるホイール１０の取り付け部分の円弧半径Ｒ２よりも僅かに小さく設定されている。また、治具本体１は、後述するバランスウエイト取付時に、弾性変形可能に構成されている。
【００２７】
そして、治具本体１の長手方向中央の角部には、上面および側面に跨って確認窓６が開口され、この長手方向中央部の上面および側面に中央を示すセンタマーク５が表示されている。また、治具本体１の上面には、ハンドル２，２が左右に離れて立設されている。
さらに、前記治具本体１の下面である支持面１ａの全体には、薄板状の磁気部材３が貼り付けられている。
【００２８】
次に、実施の形態の作用を説明する。
イ）  バランスウェイト７のウエイト本体７ａを冶具本体１の下面中央部に磁気部材３の磁力により吸着させる。この吸着の際には、冶具本体１に設けられたセンタマーク５の位置にバランスウェイト７の中心位置を合わせるとともに、バランスウエイト７の側端面を位置決めストッパ４に当接させることにより位置決めを行う。また、バランスウエイト７のウエイト本体７ａは、ブロック状であるので、治具本体１の円弧形状に沿うように変形する。
【００２９】
ロ）  バランスウェイト７の離型紙８を剥離させ、両面テープ９の接着面を露出させる。
【００３０】
ハ）  ハンドル２，２を両手で把持し、両面テープ９の接着面をホイール１０の所定位置に貼り付ける。この時、冶具本体１に表示されたセンタマーク５を目印としてホイール１０の所定位置に位置合わせした後、押し付けるようにすると、バランスウエイト７は、円弧半径の違いからまず中央部がホイール１０に接着される。この状態からハンドル２，２によりさらに強く押し付けると、治具本体１がホイール１０の円弧形状に沿って変形し、これに伴って、バランスウエイト７の接着面の全面がホイール１０に貼り付けられる。なお、治具本体１を変形容易でない剛性を有した構造とした場合には、治具本体１を左右に揺動させるようにハンドル２，２を操作して、バランスウエイト７の左右を接着させる。
【００３１】
ニ）  その後、ハンドル２，２を手前に引っ張ると、治具本体１が元の円弧形状に復元しながらホイール１０から離れるのに対して、バランスウエイト７は、両面テープ９の接着力が治具本体１の磁気部材３の吸引力を上回り、ホイール１０に固定されて治具本体１から離脱する。なお、この時、バランスウエイト７がホイール１０に確実に固定されて治具本体１から離脱したかどうかを確認窓６から確認し、接着が不十分で治具本体１から離れていない場合には、再度、治具本体１をホイール１０に押し付けて両面テープ９の全面をホイール１０に確実に接着させる。
【００３２】
以上説明したように、本実施の形態のバランスウエイト貼付治具にあっては、バランスウエイト７の形状を保持したままホイール１０に貼り付けることができるので、作業性に優れ、また、バランスウエイト７は、治具本体１に対して磁気部材３の磁力で吸着されるから、この吸着、およびホイール１０に対する接着時の治具本体１からの離脱が容易であり、この点でも作業性に優れる。
【００３３】
また、治具本体１にセンタマーク５を設けているため、バランスウエイト７の治具本体１に対する位置決め、ならびに治具本体１およびバランスウエイト７のホイール１０に対する位置決めを行いやすく、バランスウエイト７をホイール１０の所望の取付位置に正確に取り付けるのが容易で、作業性に優れる。加えて、治具本体１に位置決めストッパ４を設けたため、バランスウエイト７の位置決めが容易で作業性に優れる。
【００３４】
さらに、治具本体１をホイール１０よりもアールのきつい円弧形状に形成するとともに、弾性変形可能に構成したため、バランスウエイト７の貼付時に、中央から端部に向けて順に貼り付ける作業が行いやすく、また、バランスウエイト７をホイール１０に貼り付けた後、治具本体１から離脱させる際にも、治具本体１の復元に伴って端部から順に離脱するため、磁気部材３による磁気吸引力を端から徐々に弱めさせることができて、離脱性に優れるものであり、よって、作業性に優れる。
【００３５】
以上、図面に基づいて本発明の実施の形態を説明したが、本発明は、実施の形態の構成に限定されるものではなく、本願発明の用紙を変更しない範囲の変形を含むものである。
例えば、把持部として２本のハンドル２，２を示したが、その数および形状は実施の形態に限定されるものではなく、その数は、１本あるいは他の複数でもよいし、形状も、人が握ることができる形状であればどのような形状であってもよい。
また、ストッパも、実施の形態で示した位置決めストッパ４に形状および位置を限定されるものではない。
また、実施の形態では、磁気部材３を、治具本体１の支持面１ａの全面に設けたが、支持面１ａの一部に設けてもよい。
【図面の簡単な説明】
【図１】実施の形態のバランスウェイト貼付治具を斜め上方から見た斜視図である。
【図２】実施の形態のバランスウェイト貼付治具を斜め下方から見た斜視図である。
【図３】実施の形態のバランスウェイト貼付治具とホイールの円弧半径を示す側面図である。
【図４】バランスウェイトの取付手順を示す作業説明図である。
【図５】バランスウェイトを示す側面図である。
【図６】従来のバランスウェイトの貼付作業を示す説明図である。
【符号の説明】
１  治具本体
１ａ  支持面
２  ハンドル（把持部）
３  磁気部材
４  位置決めストッパ
５  センタマーク（表示手段）
６  確認窓
７  バランスウェイト
７ａ  ウエイト本体
８  離型紙
９  両面テープ
１０  ホイール
【図１】
0004174912.tif 000002
【図２】
0004174912.tif 000003
【図３】
0004174912.tif 000004
【図４】
0004174912.tif 000005
【図５】
0004174912.tif 000006
【図６】
0004174912.tif 000007